(57)【要約】割当応答提供方法を提供する。この割当応答提供方法は、接続端末（ＡＴ）が順方向オーバーヘッドチャネルメッセージを受信する段階を含む。該オーバーヘッドチャネルメッセージは、ＡＴが応答すべき共同制御チャネル（ＳＣＣＨ）データブロック及び割当応答を伝送するタイミングを指示するために使われるパラメータを含む。この方法は、ＳＣＣＨデータブロックで構成される順方向ＳＣＣＨ信号を受信する段階と、オーバーヘッドチャネルメッセージが提供するパラメータによってＳＣＣＨデータブロックを復号する段階と、該ＳＣＣＨ信号によってＡＴに対する接続端末割当の変化を検出する段階と、当該割り当てられたチャネルを通じて順方向パケットデータを受信したり逆方向パケットデータを伝送する段階と、をさらに含む。
2010507320.tif 000002
【特許請求の範囲】
【請求項１】
割当応答を提供する方法であって、
接続端末（ＡＴ）が順方向オーバーヘッドチャネルメッセージを受信し、オーバーヘッドチャネルメッセージはＡＴが応答すべき共同制御チャネル（ＳＣＣＨ）データブロックを指示するために使われるパラメータを含む段階と、
前記オーバーヘッドチャネルメッセージが提供するパラメータによって前記ＳＣＣＨデータブロックを復号する段階と、
前記ＳＣＣＨ信号によって前記ＡＴに対する接続端末割当の変化を検出する段階と、
前記ＡＴがデータチャネルを通じて順方向パケットデータを受信する段階と、
前記オーバーヘッドチャネルメッセージが提供するパラメータによって、割当応答を伝送する前に前記パケットデータの所定個数のサブパケットが伝送されると規定するオフセットを確認する段階と、
前記パケットデータに対する応答がない時にのみ、そして前記オーバーヘッドチャネルメッセージが前記ブロックに対して応答するべきと指示すると、前記ＳＣＣＨデータブロックのうち一つの復号に成功したことを知らせるために、前記オフセットによって前記逆方向割当応答を伝送する段階と、
を含む方法。
【請求項２】
前記接続端末割当は、暗号化フォーマットデータ、変調フォーマットデータ、資源割当データ、逆方向電力調整データ、固定割当指示、剰余割当指示、そして付加割当指示を含むことを特徴とする請求項１に記載の方法。
【請求項３】
前記オーバーヘッドチャネルメッセージは、前記ＳＣＣＨ信号の伝送に使われる資源の識別子、そして前記ＳＣＣＨ信号に含まれたＳＣＣＨデータブロックの暗号化フォーマットデータ、変調フォーマットデータ、及び個数をさらに含むことを特徴とする請求項１に記載の方法。
【請求項４】
同一資源であるが他の信号波形を用いて前記パケットデータの成功的な復号化を知らせる応答または前記割当応答を伝送する段階をさらに含むことを特徴とする請求項１に記載の方法。
【請求項５】
割当応答を提供する方法であって、
オーバーヘッドチャネルメッセージが提供するパラメータによって順方向制御チャネルデータブロックを復号する段階と、
接続端末（ＡＴ）がデータチャネルを通じて順方向パケットデータを受信する段階と、
前記パケットデータに対する応答がない時にのみ、前記制御チャネルデータブロックのうち一つの復号に成功したことを知らせるために割当応答を伝送する段階と、
を含む方法。
【請求項６】
前記割当応答を伝送する前に前記パケットデータの所定個数のサブパケットを伝送すると規定するオフセットを確認する段階と、
前記オフセットによって前記割当応答を伝送する段階と、
をさらに含むことを特徴とする請求項５に記載の方法。
【請求項７】
割当応答を提供する方法であって、
接続端末（ＡＴ）が順方向オーバーヘッドチャネルメッセージを受信し、前記オーバーヘッドチャネルメッセージは、前記ＡＴが応答すべき共同制御チャネル（ＳＣＣＨ）データブロックを指示するために用いられるパラメータを含む段階と、
ＳＣＣＨデータブロックで構成される順方向ＳＣＣＨ信号を受信する段階と、
前記オーバーヘッドチャネルメッセージが提供するパラメータによって前記ＳＣＣＨデータブロックを復号する段階と、
前記ＳＣＣＨ信号によって前記ＡＴに対する接続端末割当の変化を検出する段階と、
前記ＡＴがデータチャネルを通じて逆方向パケットデータを伝送する段階と、
前記オーバーヘッドチャネルメッセージが提供するパラメータによって、割当応答を伝送する前に前記パケットデータの所定個数のサブパケットを伝送すると規定するオフセットを確認する段階と、
前記パケットデータに対する応答がない時にのみ、そして前記オーバーヘッドチャネルメッセージが前記ブロックに対して応答すべきと指示すると、前記ＳＣＣＨデータブロックのうち一つの復号に成功したことを知らせるために、前記オフセットによって前記逆方向割当応答を伝送する段階と、
を含む方法。
【請求項８】
前記接続端末割当は、暗号化フォーマットデータ、変調フォーマットデータ、資源割当データ、逆方向電力調整データ、固定割当指示、剰余割当指示、そして付加割当指示を含むことを特徴とする請求項７に記載の方法。
【請求項９】
前記オーバーヘッドチャネルメッセージは、前記ＳＣＣＨ信号の伝送に用いられる資源の識別子、そして前記ＳＣＣＨ信号に含まれたＳＣＣＨデータブロックの暗号化フォーマットデータ、変調フォーマットデータ、及び個数をさらに含むことを特徴とする請求項７に記載の方法。
【請求項１０】
割当応答を提供する方法であって、
オーバーヘッドチャネルメッセージが提供するパラメータによって共同制御チャネル（ＳＣＣＨ）データブロックを復号する段階と、
前記ＡＴがデータチャネルを通じて逆方向パケットデータを伝送する段階と、
前記パケットデータに対する応答がない時にのみ、前記ＳＣＣＨデータブロックのうち一つの復号に成功したことを知らせるために前記割当応答を伝送する段階と、
を含む方法。
【請求項１１】
前記割当応答を伝送する前に前記パケットデータの所定個数のサブパケットを伝送すると規定するオフセットを確認する段階と、
前記オフセットによって前記割当応答を伝送する段階と、
をさらに含むことを特徴とする請求項１０に記載の方法。
【発明の詳細な説明】
【技術分野】
【０００１】
本発明は、無線通信に関するもので、特に、接続端末のための割当応答提供に関する。
【背景技術】
【０００２】
固定広帯域及び移動広帯域超高性能を提供するために、ＵＭＢ（Ultra Mobile Broadband）では高度な制御及びシグナリング構造と改善されたアンテナ技術を用いてＣＤＭＡ、ＴＤＭＡ、ＬＳ（Layer-Superposed）−ＯＦＤＭ、ＯＦＤＭ及びＯＦＤＭＡの長所を結合した単一無線インタフェースを具現する。
【０００３】
ＵＭＢは、移動中に順方向リンクに対して最大２８８Ｍｂｐｓ、逆方向リンクに対して最大７５Ｍｂｐｓを支援し、平均網待ち時間として１６．８ｍｓｅｃを支援する。また、移動中に５００人を越えるＶｏＩＰ（Voice over IP）使用者を１０ＭＨｚで同時に受け入れる。さらに、ＵＭＢは、ＩＰによる音声、広帯域データ、マルチメディア、情報技術、娯楽及び消費者電子サービスの統合を可能にする。
【０００４】
ＵＭＢでは、ＯＦＤＭＡ ＭＡＣ／物理階層の効率的な支援と、分散接続網の他に中央集中式接続網に対する充分な支援も可能である。ＵＭＢは、接続網間インタフェース効率化を実現し、無線インタフェース変更境界線間でシームレスな高速２階層ハンドオーバーを支援する。
【０００５】
図１は、中央集中式ＵＭＢ接続網を示す図である。図１に示すように、各接続端末（AT：Access Terminal）は、活性セットに含まれたそれぞれの接続網（AT：Access Network）に対して別途のプロトコルスタックを維持する。各プロトコルスタックを“経路（route）”という。また、各基地局制御器（BSC：BaseStation Controller）が別途のＡＮとなる。
【０００６】
図２は、分散式ＵＭＢ接続網を示す図である。図２に示すように、網構成において各ＡＴは活性セットに含まれた各ＡＮに対して別途のプロトコルスタックを維持し、各セルが別途のＡＮとなる。
【０００７】
ＵＭＢでは各ＡＴが数多くの経路を支援するようにし、ＡＮ間インタフェースが単純化される。ｅＢＳ間インタフェースがより単純化されることによって標準化した、相互連動実施が可能である。
【０００８】
活性セットに含まれた各ｅＢＳは別途のデータ経路を利用し、ｅＢＳ間にはＲＬＰ及びヘッダ圧縮状態を伝送する必要がない。ｅＢＳとＡＴ間のトラフィックの流れはサービングｅＢＳを介したトンネリングでなされるため、セル間にシームレスな高速リポインティングが支援される。
【０００９】
ｅＢＳとＡＴ間プロトコルのシグナリングメッセージ送受信は、サービングｅＢＳを介したトンネリングでなされることができる。活性セットにおいてｅＢＳは相互間に連結状態を維持する必要がない。
【００１０】
ＵＭＢ階層化を通じてデータ経路上のプロトコル数が減少する。図３には、応用階層でシグナリングアプリケーション、ＩＰ、ＲｏＨＣ、ＥＡＰ及び技術相互間トンネリングを提供するＵＭＢ階層を示す。無線リンク階層ではＲＬＰ及び関連プロトコルを提供する。ＭＡＣ階層はパケット統合プロトコル（packet consolidation protocol）を提供し、物理階層チャネルを制御する。物理階層は、無線インタフェースチャネルの特性を定義する。保安機能は暗号化、メッセージ無欠性（messageintegrity）及びキー交換のためのプロトコルである。経路制御平面（route control plane）は、各ｅＢＳに対して一つの無線インタフェースプロトコルスタックの生成及び維持を制御する。セッション制御平面（sessioncontrol plane）は、セッションネゴシエーションを提供する。連結制御平面（connection control plane）はＡＴとｅＢＳ間の連結を制御する。
【発明の概要】
【課題を解決するための手段】
【００１１】
本発明の特徴及び長所は下記の説明で提示され、また、部分的には下記の説明から明らかになったり、発明の実施により学習されることができる。本発明の目的と他の利点は、添付の図面の他に下記の説明及びそれに関する請求項で記述される構造によって具現され達成されることができる。
【００１２】
一実施例によって、割当応答を提供する方法は、接続端末（AT：Access Teminal）が順方向オーバーヘッドチャネルメッセージを受信し、オーバーヘッドチャネルメッセージは、ＡＴが応答すべき共同制御チャネル（SCCH：SharedControl Channel）データブロックを指示するために使われるパラメータを含む段階を含む。この方法は、ＳＣＣＨデータブロックで構成される順方向ＳＣＣＨ信号を受信する段階と、前記オーバーヘッドチャネルメッセージが提供するパラメータによって前記ＳＣＣＨデータブロックを復号する段階と、前記ＳＣＣＨ信号によって前記ＡＴに対する接続端末割当の変化を検出する段階と、前記ＡＴがデータチャネルを通じて順方向パケットデータを受信する段階と、をさらに含む。前記方法は、割当応答を伝送する前に前記パケットデータの所定個数のサブパケットを伝送すると規定するオフセットを確認する段階と、前記パケットデータに対する応答がない時に限って前記ＳＣＣＨデータブロックのうちの一つの復号に成功したことを知らせるために、前記オフセットによって前記割当応答を伝送する段階と、をさらに含む。
【００１３】
一特徴として、前記接続端末割当は、暗号化フォーマットデータ、変調フォーマットデータ、資源割当データ、逆方向電力調整データ、固定割当指示、剰余割当指示、そして付加割当指示を含む。
【００１４】
他の特徴として、前記オーバーヘッドチャネルメッセージは、前記ＳＣＣＨ信号の伝送に使われる資源の識別子、そして前記ＳＣＣＨ信号に含まれたＳＣＣＨデータブロックの暗号化フォーマットデータ、変調フォーマットデータ、及び個数をさらに含む。
【００１５】
さらに他の特徴として、前記方法は、同一資源ではあるものの異なる信号波形を用いて前記パケットデータの成功的な復号化を知らせる応答または前記割当応答を伝送する段階をさらに含む。
【００１６】
他の実施例によって、割当応答を提供する方法は、接続端末（ＡＴ）が順方向オーバーヘッドチャネルメッセージを受信し、前記オーバーヘッドチャネルメッセージは、前記ＡＴが応答すべき共同制御チャネル（ＳＣＣＨ）データブロックを指示するために使われるパラメータを含む段階と、ＳＣＣＨデータブロックで構成される順方向ＳＣＣＨ信号を受信する段階と、を含む。この方法は、前記オーバーヘッドチャネルメッセージが提供するパラメータによって前記ＳＣＣＨデータブロックを復号する段階と、前記ＳＣＣＨ信号によって前記ATに対する接続端末割当の変化を検出する段階と、前記ＡＴがデータチャネルを通じて逆方向パケットデータを送信する段階と、をさらに含む。割当応答を伝送する前に前記パケットデータの所定個数のサブパケットを伝送すると規定するオフセットを確認する段階と、前記パケットデータに対する応答がない時に限って前記ＳＣＣＨデータブロックのうちの一つの復号に成功したことを知らせるために、前記オフセットによって前記割当応答を伝送する段階と、をさらに施す。
【００１７】
これらの及び他の実施例は、添付の図面に基づく実施例についての下記の詳細説明から明確になり、本発明は、開示されたいずれかの特定実施例に限定されることはない。
【図面の簡単な説明】
【００１８】
本発明の上記の及び他の様態、特徴、長所は、添付の図面と共に提示された好ましい実施例についての下記の説明に対する熟考からより明確になる。
【図１】中央集中式ＵＭＢ接続網を示す図である。
【図２】分散式ＵＭＢ接続網を示す図である。
【図３】応用階層でシグナリングアプリケーション、ＩＰ、ＲｏＨＣ、ＥＡＰ及び技術間トンネリングを提供するＵＭＢ階層を示す図である。
【図４】ＡＮがＦ−ＳＣＣＨサブパケットとＦ−ＤＣＨサブパケットをＡＴに伝送する状況を示す図である。
【図５】最初のサブパケットを復号できない場合、R-scch ACKCH ACKを伝送する一例を示す図である。
【図６】最初のＡＴサブパケットを復号できない場合、R-ACKCH ACKを伝送する一例を示す図である。
【図７】ＡＴがR-scchACKCHACKをＡＮに伝送するものの、ＡＮはこの信号の受信に失敗する一例（よって、ＮＡＫを意味）を示す図である。
【図８】ＡＴがR-scchACKCHACKをＡＮに伝送するものの、ＡＮはこの信号をR-scchACKCH NAKとして受信する誤り警報（false alarm）の一例を示す図である。
【図９】ＡＴがＦ−ＳＣＣＨの受信に失敗し、結果としてＦ−ＤＣＨの受信にも失敗する一例を示す図である。
【図１０】ＡＴが、Ｆ−ＳＣＣＨは検出するものの、Ｆ−ＤＣＨの検出には失敗する一例を示す図である。
【図１１】ＡＴがＦ−ＳＣＣＨを検出し、Ｆ−ＤＣＨの復号に成功する一例を示す図である。
【図１２】ExtendedChannelInfoメッセージのようなメッセージのフィールドを示す図である。
【図１３】本発明の一実施例によって割当応答を提供する方法を示すフローチャートである。
【図１４】本発明の他の実施例によって割当応答を提供する方法を示すフローチャートである。
【図１５】本発明の実施例によって接続端末として構成されうる移動通信装置のブロック図である。
【発明を実施するための形態】
【００１９】
下記の詳細説明では、本明細書の一部を構成し、発明の特定実施例を例示する添付図面を参照する。本発明の思想を逸脱しない範囲内で他の実施例を利用することができ、手順的な変更だけでなく構造的、電気的な変更が可能であるということは、本技術分野における通常の技術を持つ者にとっては自明である。可能な限り、図面中、同一または類似な構成要素については同一の参照番号を付する。
【００２０】
高速下りパケット接続（HSDPA：High-speed Downlink Packet Access）、1ｘＥＶ−ＤＯ、1ｘＥＶ−ＤＶ及び３ＧＰＰ２ ＵＭＢのような様々な無線通信システムでは、暗号化されたサブパケットの再伝送のために物理階層自動再送要求（ＡＲＱ）技法やハイブリッド自動再送要求（ＨＡＲＱ）技法を導入した。一般的に、情報パケットをチャネルエンコーダ（例えば、ターボエンコーダや畳み込みエンコーダ）に通過させてサブパケットを生成する。通常のチャネルエンコーダは、システマチック（元来の情報）ビット及び／またはパリティビット（新しい付加情報（newredundancy））を含む複数個のサブパケットを生成する。各サブパケットが同一であれば、この時のＡＲＱをchase combiningといい、各サブパケットが異なると、この時のＡＲＱをＩＲ（incrementalredundancy）という。
【００２１】
受信器（Ｒｘ）が、例えばパケットデータチャネル（ＰＤＣＨ）を通じてサブパケットを受信し、該サブパケットの復号に失敗すると、このサブパケットに対して否定応答（NAK：negative acknowledgment）を伝送することができる。ＰＤＣＨは、データチャネル（ＤＣＨ）または順方向トラフィックチャネル（ＦＴＣ）とも呼ばれる。最大サブパケット再伝送回数を超過しないと、送信器（Ｔｘ）は、ＮＡＫが受信されたサブパケットを再伝送する。
【００２２】
逆に、サブパケットの復号に成功すると、受信器は肯定応答（ACK：positive acknowledgment）を伝送できる。一般的にＡＣＫやＮＡＫフィードバックはフィードバック応答チャネル（ＡＣＫＣＨ）を通じて伝送される。
【００２３】
上記のようなシステムでは、パケットデータ制御チャネル（ＰＤＣＣＨ）も伝送することができる。ＰＤＣＣＨは、制御チャネル（ＣＣＨ）、共同制御チャネル（ＳＣＨ）または共同シグナリングチャネル（ＳＳＣＨ）とも呼ばれる。ＰＤＣＣＨはＰＤＣＨの伝送を支援するために使われる。ＰＤＣＣＨは、受信器がＰＤＣＨを復号するのに必要な制御情報を伝送できる。制御情報は、ＰＤＣＨ伝送フォーマット（変調及びコーディング率）、時間−周波数チャネル資源（チャネル化資源）、受信器識別情報（媒体制御接続ＩＤ（MAC ID）とも呼ばれる）、そしてその他様々な制御情報を含む。以下、既存システムの問題点と一般の解決策及び発展した解決策について説明する。
【００２４】
（制御チャネル管理）
上述した如く、ＰＤＣＨの物理階層ＡＲＱを支援するためにＡＣＫＣＨを運用することができる。制御チャネルに対する応答方法と関連して問題が提起される。特定ターゲットフレーム誤り率（ＦＥＲ）を保障するには制御チャネルの電力制御のために応答情報が必要である。これを外−ループ電力制御（outer-loop power control）という。例えば、特定ＦＥＲ（例えば、１％や０．１％のＦＥＲ）における制御チャネル動作を保障することが好ましくなり得る。制御チャネル情報に対するフィードバックがないと、上記ＦＥＲ制御は不可能になり得る。さらに、このようなフィードバック情報は制御チャネルに対する効率的な送信電力割当を保障する。フィードバックがないと、送信器は必要以上と高い送信電力を用いて信号を伝送しても良い。
【００２５】
（専用制御チャネル管理：ＰＤＣＨ応答）
ＰＤＣＨ応答のためにオン−オフキーイング（on-off keying：OOK）によるＡＣＫＣＨを使用するシステムの問題点を説明する。ＡＣＫＣＨ設計にＯＯＫを適用するシステムは、通常、ＮＡＫを表すためにＯＦＦを、ＡＣＫを表すためにＯＮを使用する。ＯＯＫによって送信電力が頻繁に節約される。ＯＦＦ信号の発生確率がより高いと、ＯＦＦ（送信電力ゼロ）の使用によって送信電力を節約する。例えば、最初サブパケットはＮＡＫを招く確率がより高い。
【００２６】
ＡＣＫＣＨ設計にＯＯＫを使用する時、ＢＰＳＫのような非−ＯＯＫタイプのシグナリングには起きない色々な問題にぶつかる。
【００２７】
一般的な非−ＯＯＫタイプのシグナリングではＡＣＫとＮＡＫ伝送に信号エネルギーを使用する。したがって、このような非−OOK方式では送信器がＰＤＣＣＨを伝送した後にＡＣＫＣＨを検出できないと受信器がＰＤＣＣＨを逃したと見なす。逆に、送信器がＡＣＫＣＨ ＡＣＫまたはＮＡＫを検出すると受信器がＰＤＣＣＨを受信したと見なす。
【００２８】
ＯＯＫシグナリングで曖昧な場合が発生することがある。例えば、送信器がＰＤＣＣＨを伝送した後にＡＣＫＣＨで信号を検出できないと（ＮＡＫに該当するＯＦＦを意味）、これは、受信器がＰＤＣＣＨを逃した場合または受信器がＰＤＣＣＨを受信したがＰＤＣＨの復号に失敗した場合のいずれかとなる。結局、現在の送信器はこれらの２つの状態が区分できない。
【００２９】
ＰＤＣＨ ＡＲＱ動作のためにＯＯＫシグナリングによるＡＣＫＣＨを使用することから生じる曖昧さを解消する方法の一つに、ＰＤＣＣＨ受信に対して送信器にＡＣＫまたはＮＡＫをフィードバックするために補助フィードバックＡＣＫＣＨ（auxACKCH）を使用する方法がある。
【００３０】
（専用制御チャネル管理：Ｒ−ＰＤＣＨ応答）
逆方向データチャネル（Ｒ−ＤＣＨ）とも呼ばれる逆方向パケットデータチャネル（Ｒ−ＰＤＣＨ）を用いるセルラーシステムを取り上げる。このシステムは、端末のＲ−ＰＤＣＨ伝送をスケジュールするために順方向ＰＤＣＣＨ（Ｆ−ＰＤＣＣＨ）をさらに含むことができる。セクター（または基地局）でＲ−ＰＤＣＨの復号に失敗する場合があり得る。結果として、セクターでは、ＡＴがＦ−ＰＤＣＣＨを逃したためか、それとも、セクターがＲ−ＰＤＣＨ伝送パケットを復号できないためかという２つの状態を区分し難い場合がある。システムにおいてこれらのシナリオのうちのいすれかであるかを決定できれば役立つ。
【００３１】
（放送／マルチキャストタイプの制御チャネルに対する共同応答）
放送／マルチキャストタイプの制御チャネルに対する共同応答を提供できる幾つかの場合を説明する。こういう形態の制御チャネルの例には、グループ資源割当（ＧＲＡ）のための３ＧＰＰ２ＵＭＢｅ放送／マルチキャストビットマップとＰＤＣＣＨ割当のためのパケットデータ制御チャネル（ＰＤＣＡＣＨ）がある。様々な実施例によって放送／マルチキャスト制御チャネルの性能監視と管理が可能である。
【００３２】
（ＢＣＭＣＳ信号に対する共同応答）
チャネル品質フィードバックを用いてデジタルビデオ放送（ＤＶＢ）、ＭｅｄｉａＦＬＯ、ＭＢＭＳなどのような放送マルチキャストタイプのサービスの他に、放送マルチキャストサービス（ＢＣＭＣＳ）も容易に実行することができる。（例えば、チャネル資源及び電力資源の側面で）効率的なフィードバック伝送という利点を得ることができる。ここに説明する様々な実施例は、３ＧＰＰＬＴＥ、３ＧＰＰ ＵＭＴＳ（ＨＳＰＡ及びＨＳＰＡ＋）、３ＧＰＰ２ ＵＭＢ、Ｍｏｂｉｌｅ ＷｉＭＡＸなどのように様々な無線通信システムで具現されることができる。
【００３３】
逆方向ｓｃｃｈＡＣＫＣＨ（auxACKCH）に係る実施例について説明すると、次の通りである。一般的に、ｓｃｃｈＡＣＫＣＨは、順方向共同制御チャネル（ＳＣＣＨ）、リンク割当メッセージ（ＬＡＭ）、リンク割当ブロック（ＬＡＢ）、または順方向リンクで伝送される接続許諾（accessgrant）に対するＡＣＫやＮＡＫを伝送するのに用いられる逆方向ＡＣＫチャネルである。ＳＣＣＨという用語は、ＬＡＭ、ＬＡＢまたは接続許諾を伝送するチャネルや資源を意味することができる。一般的に、ａｕｘＡＣＫＣＨは、ＰＤＣＨではなく他の様々なチャネルの検出（または消失）を知らせるのに用いられることができる。これらのチャネルには、制御チャネル（専用、放送、またはマルチキャスト制御チャネル）とＢＣＭＣＳ−タイプの信号を含む。ａｕｘＡＣＫＣＨの一特徴は、シグナリングオーバーヘッドを最小化し、チャネル容量への影響と干渉の発生を最小化することにある。
【００３４】
一実施例によれば、受信器が送信器にＡＣＫやＮＡＫ応答を伝送するためにａｕｘＡＣＫＣＨを使用することができる。必要に応じて、ＯＦＦはＮＡＫを、ＯＮはＡＣＫを表すようにＯＯＫ方式を用いてａｕｘＡＣＫＣＨを伝送することができる。
【００３５】
例えば、逆方向ａｕｘＡＣＫＣＨ（Ｒ−ａｕｘＡＣＫＣＨ）を運用し、順方向ＰＤＣＨ（Ｆ−ＰＤＣＨ）を支援し、該Ｆ−ＰＤＣＨに対する応答を送るためにＯＯＫ方式を利用する逆方向ＡＣＫＣＨ（Ｒ−ＡＣＫＣＨ）を利用するシステムを考慮する。本様態によれば、Ｒ−ＡＣＫＣＨＯＦＦはＦ−ＰＤＣＨ ＮＡＫを、Ｒ−ＡＣＫＣＨ ＯＮはＦ−ＰＤＣＨ ＡＣＫを表す。端末が成功的に順方向ＰＤＣＣＨ（Ｆ−ＰＤＣＣＨ）を検出すると、該端末は、Ｆ−ＰＤＣＨサブパケットを復号できるか否か決定するために待機することができる。もし、端末が最後のサブパケット受信後に（または、最後のサブパケットが受信されているべき時間になるまで）Ｆ−ＤＰＣＨの復号に失敗すると、受信器はＲ−ａｕｘＡＣＫＣＨを通しＦ−ＰＤＣＣＨＡＣＫ（ＯＮ）を伝送する。逆に、ＡＴがＦ−ＰＤＣＣＨを逃したとすれば、Ｆ−ＰＤＣＣＨに対してＡＣＫを送ることができず、Ｒ−ａｕｘＡＣＫＣＨに何も伝送しない。これはＮＡＫ（ＯＦＦ）に該当する。
【００３６】
一例として、逆方向ＰＤＣＨ（Ｒ−ＰＤＣＨ）を支援する通信システムで逆方向ａｕｘＡＣＫＣＨ（Ｒ−ａｕｘＡＣＫＣＨ）を使用する場合を考慮する。もし、端末の伝送をスケジュールする順方向ＰＤＣＣＨ（Ｆ−ＰＤＣＣＨ）を成功的に検出すると、端末はＲ−ＰＤＣＨを通じてサブパケットを伝送する。この例では、端末の伝送をスケジュールし、ＡＴがＲ−ＰＤＣＨを伝送するのに必要な伝送フォーマット、逆方向チャネル資源、その他情報を指示するのに上記Ｆ−ＰＤＣＣＨを使用できることに注目しなければならない。
【００３７】
もし、セクター受信器がＲ−ＰＤＣＨを成功的に復号すると、当該セクターは、端末が成功的にＦ−ＰＤＣＣＨを復号したことを認識する。しかし、セクター受信器がＲ−ＰＤＣＨの復号に失敗すると、自分がＲ−ＰＤＣＨを逃したのかそれとも端末がＦ−ＰＤＣＣＨを逃したのかを区分できない。
【００３８】
この問題を解決するために、セクター受信器が成功的にＲ−ＰＤＣＨエンコーダパケットを受信したか否かを表すＦ−ＡＣＫＣＨで端末機がＡＣＫを受信できないと、Ｒ−ａｕｘＡＣＫＣＨＡＣＫを伝送するように端末を構成することができる。
【００３９】
タイミングの側面で、端末は、最後のＲ−ＰＤＣＨパケットを伝送した後に、そしてＦ−ＡＣＫＣＨを通じてＡＣＫ（ＯＮ）を受信した時間が経過した後に、Ｒ−ａｕｘＡＣＫＣＨを伝送することができる。このような伝送は総じて最大個数のＲ−ＰＤＣＨサブパケットを送った後に起きる。一例として、同一ＨＡＲＱインターレースで次のエンコーダパケットの次の最初サブパケットをＲ−ＰＤＣＨを通じて送る場合、Ｒ−ａｕｘＡＣＫＣＨを伝送する。
【００４０】
他の接近方法は、Ｒ−ａｕｘＡＣＫＣＨを必要としない暗示的な方法である。この接近方法では、セクター受信器がＲ−ＤＣＨの信号エネルギーを測定することによって自身がたとえＲ−ＤＣＨ信号を復号することはできないが、Ｒ−ＤＣＨ信号の存在を推定することができる。上記信号エネルギーが所定の臨界値よりも高いと（または同一であれば）、セクター受信器はＡＴが成功的にＦ−ＳＣＣＨを復号したと決定することができる。もし、信号エネルギーが所定臨界値よりも小さいと（または、同一であれば）、セクター受信器は、ＡＴがＦ−ＳＣＣＨを逃したものと決定する。Ｒ−ＤＣＨパケットの最初サブパケットだけでなく、Ｒ−ＤＣＨパケットのサブパケット多数に対する信号エネルギーを測定することで、検出信頼性を増加させることができる。また、ＡＴがＲ−ＤＣＨパケットを復号すると、これは、例えばＡＴが成功的にＦ−ＳＣＣＨを復号したことを意味する。
【００４１】
他の接近方法として、Ｒ−ａｕｘＡＣＫＣＨを上記の暗示的な接近方法と結合して使用する。この接近方法では、ＡＣＫＣＨをａｕｘＡＣＫＣＨ応答を伝送するのに使用することができる。すなわち、ＡＣＫＣＨを通じてａｕｘＡＣＫＣＨＡＣＫ／ＮＡＫを伝送するためにＡＣＫＣＨの状態をさらに付加的に定義することができる。
【００４２】
例えば、３ＧＰＰ２ ＵＭＢで現在実施しているＦ−ＰＤＣＨ動作に対する一般設計で、Ｒ−ＡＣＫＣＨは、シグナリングのために長さ１６の一対のＤＦＴコードを使用することができる。ＡＣＫの伝送のためには上記のコードの一つ（例えば、コードＡ）に信号エネルギーを伝送し、コードＡとコードＢがＯＦＦされるようにし、ＯＦＦを表すためには上記コードのいずれにも信号エネルギーを送らない。
【００４３】
このようなＲ−ＡＣＫＣＨの設計を変更し、シグナリング状態を２つから３つに増加することができる。下記に状態が３つである例を提示する。
OFF
コードＡとコードＢ両方とも信号エネルギーを伝送しない
（Code AOFF、Code B OFF）
Ｆ−ＰＤＣＨとＦ−ＰＤＣＣＨが検出されない
ON_Type 1
（Code AON、Code B OFF）
Ｆ−ＰＤＣＨ ＡＣＫと暗示的なＦ−ＰＤＣＣＨ ＡＣＫ
ON_Type 2
（Code AOFF、Code B ON）
Ｆ−ＰＤＣＨＡＣＫ ＮＡＫ及びＦ−ＰＤＣＣＨ ＡＣＫ
一実施例は、物理階層チャネルの発生に関するものである。必要に応じて、Ｒ−ａｕｘＡＣＫＣＨのシグナリングのためにＯＯＫ方式を使用することができる。例えば、３ＧＰＰ２ＵＭＢに記述されたＦ−ＰＤＣＨの一般動作を考慮してみよう。３ＧＰＰ２ ＵＭＢに記述された互いに異なる制御チャネルタイプのそれぞれに対して最大１０ビットの制御情報を伝送するために、ＣＤＭＡ逆方向制御チャネル（Ｒ−ＣＣＨ）に１０２４−ａｒｙ直交シグナリングを使用する。
【００４４】
長さ１０２４の直交コードを一つ使用してＲ−ａｕｘＡＣＫＣＨをＯＯＫ方式によって伝送できる。ＡＣＫ（ＯＮ）を表すためにコードに信号エネルギーを伝送し、ＮＡＫ（ＯＦＦ）を表すためにコードに何の信号エネルギーも伝送しない。
【００４５】
多数の端末に伝送される順方向データチャネルの放送またはマルチキャスト（ＢＭ）制御のために、放送またはマルチキャストチャネルを監視する各端末は、同一の時間−周波数資源及び／または信号空間にａｕｘＡＣＫＣＨを伝送する。例えば、ＯＦＤＭで各ＡＴのａｕｘＡＣＫＣＨは伝送時間インスタンスと周波数トーンを共有できる。
【００４６】
ＵＭＢの場合、総じて各端末は同一サブタイルを用いて伝送する。例えば、ＣＤＭＡでは各ＡＴのａｕｘＡＣＫＣＨは同一の伝送時間と信号波形（すなわち、同一のチャネル化コード及び／またはスクランブリングコード）を共有できる。結局、各端末が同一チャネル化コード（長さ１０２４の同一コードと同一スクランブリングコード）を使用して伝送することによってＡＴのａｕｘＡＣＫＣＨ伝送波形が同一になる。結果として、資源の共有によって最小の資源を使用することとなり、よって、オーバーヘッドが減少する。したがって、ａｕｘＡＣＫＣＨで信号エネルギーを受信できないと（ＯＦＦ）、セクター受信器は、全ての端末が放送またはマルチキャスト信号を受信したものと仮定する。
【００４７】
もしａｕｘＡＣＫＣＨに信号エネルギーがあると（ＯＮ）、セクター受信器は、少なくとも一つの端末がＢＭ信号を逃したと決定する。これにより、セクターは、特定ＢＭ信号のパケットは特定端末には到達できないということを認識する。このようなフィードバックを通じてセクター送信器はＦＥＲによってＢＭ信号の電力制御ができる。
【００４８】
他の方法として、各端末がＢＭ信号復号に失敗すると、端末固有のＲ−ａｕｘＡＣＫＣＨを伝送できる。例えば、Ｒ−ＡＣＫＣＨやＣＤＭＡＲ−ＣＣＨに類似するシグナリングを用いてこのＲ−ａｕｘＡＣＫＣＨ信号を伝送できる。
【００４９】
端末がＦ−ＳＣＣＨ（Ｆ−ＰＤＣＣＨ）を成功的に受信したことを知らせるためにＲ−ａｕｘＡＣＫＣＨを使用する場合、Ｒ−ａｕｘＡＣＫＣＨをＲ−ｓｃｃｈＡＣＫＣＨでと呼ぶことができる。Ｒ−ＡＣＫＣＨと類似な設計方式によれば、Ｒ−ｓｃｃｈＡＣＫＣＨチャネル資源（サブタイル）をＦ−ＳＣＣＨに連動させてシグナリング資源を共有することができる。例えば、特定インターレースのために３つのＦ−ＳＣＣＨが定義されていると、各Ｆ−ＳＣＣＨに一つのＲ−ｓｃｃｈＡＣＫＣＨを対応させて３つのＲ−ｓｃｃｈＡＣＫＣＨを運用できる（例えば、Ｆ−ＳＣＣＨ＿０にＲ−ｓｃｃｈＡＣＫＣＨ＿０、Ｆ−ＳＣＣＨ＿１にＲ−ｓｃｃｈＡＣＫＣＨ＿１等）。必要に応じて、ＯＯＫシグナリングも使用することができる。
【００５０】
Ｒ−ｓｃｃｈＡＣＫＣＨをＲ−ＡＣＫＣＨと同一にまたは類似に設計することができる。逆方向シグナリングオーバーヘッドを制御及び減少させるために、チャネル資源（時間−周波数資源）の量（例えば、葉ノード（leaf nodes）やタイルの数）が所定値（例えば、８ノード）より少ないと（または、同一なら）、Ｒ−ｓｃｃｈＡＣＫＣＨを不活性化することができる。また、チャネル資源の量が所定値よりも多いと（または、同一なら）、Ｒ−ｓｃｃｈＡＣＫＣＨを活性化することができる。他の方法によれば、チャネル資源の代わりにチャネル資源の数値を、ペイロード大きさ、データ率、及び／またはこれら３つを結合した形態として取り替えることができる。
【００５１】
Ｒ−ｓｃｃｈＡＣＫＣＨの受信誤りを処理する様々な方法について説明すると、次の通りである。Ｒ−ｓｃｃｈＡＣＫＣＨＡＣＫをＮＡＫとして受信すると、ＡＮはパケット伝送を中断しても良いが、例えば同一フォーマットを用いて同一ＡＴに再伝送しても良い。もし、同一Ｆ−ＳＣＣＨとＦ−ＤＣＨが伝送されると、ＡＴは、以前サブパケットと新しいサブパケットをソフト結合することができる。
【００５２】
他の方法は、Ｒ−ｓｃｃｈＡＣＫＣＨ ＮＡＫが受信されると、ＡＮスケジューラが同一パケットと同一ＳＣＣＨをＡＴに伝送するようにするものである。必要に応じて、同一ＡＴが再スケジュールされる場合にのみこれを実行できる。したがって、他のＡＴがスケジュールされると、以前のＡＴは自身に対する伝送が中断されたことがわかる。もし、Ｒ−ｓｃｃｈＡＣＫＣＨＮＡＫがＡＣＫとして受信されると、ＡＮは（Ｒ−ｓｃｃｈＡＣＫＣＨが全く存在しなかったかのように）正常動作を行なうこととなる。
【００５３】
一般的なＦ−ＳＣＣＨ物理階層の様々な側面を説明する。Ｆ−ＳＣＣＨの物理階層ＡＲＱを許容し、総じて順方向制御チャネルを許諾するために、Ｆ−ＳＣＣＨをＦ−ＤＣＨと類似するように設計することができる。Chase combiningやＩＲを用いてＦ−ＳＣＣＨを再伝送することができる。Chase combiningでは最初サブパケットで伝送されたＦ−ＳＣＣＨの物理階層波形と同じ波形を２番目のＦ−ＳＣＣＨサブパケットに再伝送する。
【００５４】
Ｆ−ＳＣＣＨの再伝送番号は、Ｆ−ＳＣＣＨを通じて知らせることができる。例えば、Ｆ−ＳＣＣＨの１ビットフラグを用いてＦ−ＳＣＣＨメッセージが最初の伝送か２番目の伝送（すなわち再伝送）かを知らせることができる。Ｆ−ＳＣＣＨを復号し、Ｆ−ＳＣＣＨが２番目の伝送であれば、ＡＴは同一インターレースで以前フレームに伝送されたＦ−ＤＣＨをソフト結合できる。
【００５５】
最初のＦ−ＳＣＣＨ伝送と２番目のＦ−ＳＣＣＨ伝送で同一の最初サブパケットを伝送するようにＡＮを構成できる。この方法の利点は、物理階層ＡＲＱが適用されるＦ−ＳＣＣＨの信頼度が増加されるということである。
【００５６】
さらに他の方法を下記に説明する。一実施例で、未使用Ｒ−ＡＣＫＣＨを用いてＲ−ａｕｘＡＣＫＣＨ及び／またはＲ−ｓｃｃｈＡＣＫＣＨを伝送できる。例えば、一般的な３ＧＰＰ２ＵＭＢシステムで、特に順方向チャネル資源はノードやタイルと呼ばれるチャネル資源単位に測定されることができる。順方向で端末をスケジュールする時、スケジューラはデータ伝送のための所定個数のチャネル資源単位（ＣＲＵ）をＡＴに割り当てることができる。システムでは、各順方向ＣＲＵに対して総じて一つのＲ−ＡＣＫＣＨを保有する。さらに、各Ｒ−ＡＣＫＣＨを通じて各ＣＲＵで伝送されたＦ−ＤＣＨパケットに対するＡＣＫやＮＡＫを伝送し、Ｒ−ＡＣＫＣＨとＦ−ＤＣＨパケット間に一対一マッピングがなされる。複数個のＣＲＵがＡＴに割り当てられると、ＡＴはより多くのＲ−ＡＣＫＣＨを使用する能力を持つこととなる。しかし、使われるＣＲＵの数とは関係なく、総じてＦ−ＤＣＨパケット当たり只一つのＲ−ＡＣＫＣＨが必要とされるため、複数個のＣＲＵ使用時に余分の未使用Ｒ−ＡＣＫＣＨが存在することとなる。
【００５７】
特定Ｆ−ＤＣＨ（特定ＡＴに伝送されるデータパケット）に対して使用されない余分のＲ−ＡＣＫＣＨがあると、使用されないＲ−ＡＣＫＣＨのうち一つあるいはそれ以上をｓｃｃｈＡＣＫＣＨまたはａｕｘＡＣＫＣＨ伝送のために利用することができる。ｓｃｃｈＡＣＫＣＨ及び／またはａｕｘＡＣＫＣＨを伝送するのにいずれの未使用Ｒ−ＡＣＫＣＨを使用するかは、システムと端末間に互いに一致している。あらかじめ定められた規則によって未使用Ｒ−ＡＣＫＣＨのいずれを使用しても良い。
【００５８】
例えば、左から右に整列された一連のＣＲＵ（ノード）において、Ｆ−ＤＣＨＣＲＵに該当するＲ−ＡＣＫＣＨは、“最左側”ＣＲＵ（ノード）で伝送されることができる。複数個のＣＲＵが使用されると、Ｒ−ａｕｘＡＣＫＣＨ及び／またはＲ−ｓｃｃｈＡＣＫＣＨであることを表すために“最右側”のＣＲＵを使用することができる。他の例で、“２番目の最左側”ＣＲＵに該当するＲ−ＡＣＫＣＨをＲ−ａｕｘＡＣＫＣＨ及び／またはＲ−ｓｃｃｈＡＣＫＣＨを伝送するのに利用することができる。
【００５９】
さらに他の方法には、ＳＣＣＨの受信の直後にこれらの余分の資源に先制（PRE-EMPTIVE）ｓｃｃｈＡＣＫＣＨを送る方法と、先制ａｕｘＡＣＫＣＨを余分の資源に伝送する方法がある。
【００６０】
ＭＩＭＯ動作とＳＣＣＨに対するＨＡＲＱに上述した接近方法を一般化させることができる。マルチコードワード（ＭＣＷ）や空間分割多重接続（ＳＤＭＡ）の状況では右側から割り当てる規則を定める。
【００６１】
Ｆ−ＰＤＣＣＨとＦ−ＳＣＣＨ管理を支援できる上位階層メッセージやあらかじめ設定される規則の例を下記に説明する。例えば、データ率臨界値、ペイロード大きさ臨界値、ノード（ＣＲＵ）割当臨界値及びこれらを結合した形態の情報を含む様々な種類の情報を端末に知らせるように上位階層メッセージを構成することができる。ここで、臨界値を超過する場合、Ｒ−ｓｃｃｈＡＣＫＣＨが活性化される。
【００６２】
また、ＡＮのａｕｘＡＣＫＣＨ及び／またはｓｃｃｈＡＣＫＣＨ支援有無のような網のＳＣＣＨ管理特徴支援の有無、端末がこのような特徴を使用しなければならないか（例えば、ＡＴがａｕｘＡＣＫＣＨ（ａｕｘａｃｋｃｈ）及び／またはｓｃｃｈＡＣＫＣＨ（ｓｃｃｈａｃｋｃｈ）を活性化または不活性化しなければならないか）を知らせうるように順方向上位階層メッセージをさらに構成することができる。
【００６３】
さらに、このような特徴及び／またはチャネルに対する端末の支援有無を表すように逆方向上位階層メッセージを構成できる。
【００６４】
上位階層メッセージの他の例として、端末がａｕｘＡＣＫＣＨ及び／またはｓｃｃｈＡＣＫＣＨの送信電力を増加させるべきかを指示する指示子がある。
【００６５】
必要に応じて、ＡＴとＡＮ両方が互いに知っている上位階層メッセージやあらかじめ定義した規則を通じて次の一つあるいはそれ以上を指示できる。
‐ どのＦ−ＳＣＣＨにどのＲ−ｓｃｃｈＡＣＫＣＨがマッピングされるか（例えば、Ｒ−ｓｃｃｈＡＣＫＣＨ＿０はＦ−ＳＣＣＨ（Ｆ−ＰＤＣＣＨ）＿０にマッピング）
‐ Ｒ−ｓｃｃｈＡＣＫＣＨに割り当てられるＦ−ＳＣＣＨ、この場合、マッピングが各フレームに同一に適用されたりスーパーフレームの特定フレーム番号に適用されることができる。
‐ 各Ｒ−ｓｃｃｈＡＣＫＣＨに割り当てられるＲ−ＡＣＫＣＨ資源（例えば、Ｒ−ｓｃｃｈＡＣＫＣＨ＿０＿ｒｅｓｏｕｒｃｅｎｕｍｂｅｒフラグ（Ｒ−ｓｃｃｈＡＣＫＣＨ＿０に割り当てられるＲ−ＡＣＫＣＨ番号を表す８ビットで、０〜３１の値になり得る））。
‐ Ｒ−ｓｃｃｈＡＣＫＣＨを使用するＦ−ＳＣＣＨ（例えば、Ｆ−ＳＣＣＨ＿０＿ＡＣＫ＿ａｃｔｉｖａｔｅｄフラグ（０は、ＡＴがＦ−ＳＣＣＨ＿０でスケジュールされると応答としてＲ−ａｃｃｈＡＣＫＣＨを送らないということを意味し、１は、ＡＴがＦ−ＳＣＣＨ＿０でスケジュールされると応答としてＲ−ａｃｃｈＡＣＫＣＨを使用するということを意味する）。
‐ 必要なＲ−ｓｃｃｈＡＣＫＣＨの数
‐ 基地局のこのような特徴支援有無（放送されたりマルチキャストされたりユニキャストされたりできる順方向メッセージ）
‐ ＡＴのこのような特徴支援有無（逆方向メッセージ）（例えば、Ｒ−ｓｃｃｈＡＣＫＣＨ＿ｓｕｐｐｏｒｔｅｄ（０ならＮＯ、１ならＹＥＳを意味））。
‐ ＡＴのＲ−ａｕｘＡＣＫＣＨ及び／またはＲ−ｓｃｃｈＡＣＫＣＨ活性化有無。ＡＴ固有の順方向メッセージ（例えば、“Ｒ−ｓｃｃｈＡＣＫＣＨ＿ａｃｔｉｖａｔｅ”フラグ（０は不活性、１は活性を意味））を用いて表すことができる。
【００６６】
他の様態は、ＡＣＫ受信の信頼性を高めるためにＣＲＣやブロックコードを用いて応答チャネルをチャネルコーディングすることに関するものである。
【００６７】
ａｕｘＡＣＫＣＨ／Ｒ−ｓｃｃｈＡＣＫＣＨを割り当てる一実施例によれば、割り当てられたトラフィックチャネル資源を一セットのＡＣＫＣＨにマッピングする。ＡＣＫＣＨは、順方向データに対する応答と割当に対する応答を伝送するのに使われる。ＭＩＭＯＭＣＷとＳＤＭＡに対してこの方法の一例を次に説明する。Ｆ−ＰＤＣＨに対して最大１つのＲ−ＡＣＫＣＨを必要とする単一入力単一出力（ＳＩＳＯ）とは逆に、ＭＩＭＯ ＭＣＷとＳＤＭＡは普通、データ応答のために複数個のＲ−ＡＣＫＣＨを必要とする。
【００６８】
４−階層ＭＣＷは、一般的に４つのＲ−ＡＣＫＣＨを運営する。この場合、５つまたはそれ以上のベースノードが端末に割り当てられると、（上述した）“余分の（leftover）”Ｒ−ＡＣＫＣＨを、Ｒ−ｓｃｃｈＡＣＫＣＨを伝送するのに利用することができる。４つ以下のベースノードが割り当てられると、一般的に（上述したようにシグナリング状態の数を増加させたり、割当応答のために付加ＡＣＫＣＨを割り当てたりするなどの）他の方法によってＲ−ｓｃｃｈＡＣＫＣＨを伝送する。
【００６９】
他の方法として、利用可能な余分のベースノードがあると、Ｒ−ｓｃｃｈＡＣＫＣＨのみを支援する。例えば、直前に説明した４−階層ＭＣＷの例で、４つ以下のベースノードを割り当てると、Ｒ−ｓｃｃｈＡＣＫＣＨを許諾しない。必要に応じて、類似な方法をＲ−ａｕｘＡＣＫＣＨにも適用できる。
【００７０】
ａｕｘＡＣＫＣＨ／Ｒ−ｓｃｃｈＡＣＫＣＨを割り当てる他の実施例によれば、一セットの未使用ＡＣＫＣＨにＳＣＣＨ（割当用制御チャネル）資源をマッピングする。応答が必要な一つのＳＣＣＨ割当ブロックに一つのＡＣＫＣＨがマッピングされ、このＡＣＫＣＨを用いてＳＣＣＨ割当ブロックに含まれた割当に対する応答を伝送するようにする。このような場合、Ｆ−ＳＣＣＨが３つであれば、それぞれに該当のＲ−ＡＣＫＣＨがマッピングされる。その後、スケジュールされたＡＴはＲ−ＡＣＫＣＨで自身のｓｃｃｈＡＣＫを伝送する。
【００７１】
Ｆ−ＤＣＨ（Ｆ−ＰＤＣＨ）のサブパケットを復号し、ＡＣＫをＲ−ＡＣＫＣＨを通じて伝送すると、Ｒ−ｓｃｃｈＡＣＫＣＨＡＣＫを伝送する必要がない。または、Ｒ−ｓｃｃｈＡＣＫＣＨとＲ−ＡＣＫＣＨＡＣＫＣＨを独立的に運用することができる。
【００７２】
割当解除Ｆ−ＳＣＣＨメッセージの場合にも、ＡＴはＲ−ｓｃｃｈＡＣＫＣＨを伝送できる。これは、基地局にＡＴが割当解除メッセージを受信したことを表す。信頼性を高めるためにこのメッセージの送信電力を増大させることができる。
【００７３】
一般的に、各Ｆ−ＳＣＣＨに対して該当Ｒ−ｓｃｃｈＡＣＫＣＨが活性化される。例えば、信頼性のないリンクを持つＡＴをＲ−ｓｃｃｈＡＣＫＣＨ特性の活性化されたＦ−ＳＣＣＨに割り当て、信頼性のあるリンクを持つＡＴをＲ−ｓｃｃｈＡＣＫＣＨ特性の活性化されていないＦ−ＳＣＣＨに割り当てることができる。
【００７４】
さらに、ＵＭＢシステムではＲ−ｓｃｃｈＡＣＫＣＨが有用に使用されうる様々な割当タイプメッセージがある。一般的に、これらメッセージは、順方向ＳＩＳＯ割当メッセージ、順方向ＳＤＭＡ割当メッセージ、順方向ＭＣＷ割当メッセージ、順方向ＳＣＨＥＭＡＴＩＣＶＩＥＷ ＳＨＯＷＩＮＧ割当メッセージを含む。
【００７５】
運用性と信頼度の改善のために、ＡＴは、増大した電力でＲ−ａｕｘＡＣＫＣＨを伝送し、検出失敗確率を減らすことができる。また、ＡＮは、Ｒ−ｓｃｃｈＡＣＫＣＨＮＡＫを受信すると、増大した電力でＦ−ＳＣＣＨを伝送できる。
【００７６】
同様に、運用性と信頼度の改善のために、Ｒ−ｓｃｃｈＡＣＫＣＨＮＡＫが受信され、パケット伝送を中断するのが好ましくない時、Ｆ−ＳＣＣＨ送信電力を増大させることができる。この場合には総じて同一のＦ−ＳＣＣＨを再伝送し、Ｆ−ＤＣＨの同一最初サブパケットを再伝送する。このシナリオで同一Ｆ−ＳＣＣＨを受信する時、ＡＴは、同じ最初パケットが２回伝送されると、以前に受信したサブパケットをソフト結合することができる。
【００７７】
一実施例によれば、Ｆ−ＰＤＣＣＨ（ＳＣＣＨ）を成功的に受信した後に、ａｕｘＡＣＫＣＨ（ＯＮ）を伝送する。この実施例で、スケジューラは、Ｒ−ｓｃｃｈＡＣＫＣＨを通じてＮＡＫを受信したＦ−ＰＤＣＣＨ（ＳＣＣＨ）を再伝送できる。そうでないと、スケジューラは、Ｆ−ＰＤＣＨサブパケットを復号しなければならないということを知っていない端末にサブパケットを伝送し続く。このような特徴から、Ｆ−ＰＤＣＨ資源を效率的に利用し、端末がＦ−ＰＤＣＣＨ（ＳＣＣＨ）を逃す場合に引き送る浪費を減らす効果が得られる。
【００７８】
Ｒ−ＰＤＣＨ動作も類似に具現可能である。Ｆ−ＰＤＣＣＨ（ＳＣＣＨ）を受信する時、端末は、Ｆ−ＰＤＣＣＨ受信を受信器に知らせるためにａｕｘＡＣＫＣＨ（ＯＮ）を伝送することができる。これで、端末はＲ−ＰＤＣＨ伝送の持続を確信することとなる。
【００７９】
ステップ−ダウン（step-down）変調を使用するＨＡＲＱを実施する時、最初サブパケットだけでは復号できない伝送フォーマットが多い。この様態によれば、端末はだいていエンコーダパケットを復号する以前に最初パケットと２番目のサブパケットを受信する。このような状態で、最初のサブパケット後にＡＣＫＣＨを通じて何の信号も伝送されないので、データ応答のために割り当てられた資源を用いて最初サブパケット以後にＡＣＫＣＨ物理階層を通じてａｕｘＡＣＫＣＨを伝送できる。または、上述したような他の方法を用いてａｕｘＡＣＫＣＨを伝送できる。この方法の長所は、受信器がＦ−ＰＤＣＣＨを受信したということを２番目のサブパケットを伝送する前に送信器が確認できるということにある。結果的に、資源浪費が減少する。次に、Ｆ−ＰＤＣＨとＲ−ＰＤＣＨの例を説明する。
【００８０】
この方法をＦ−ＰＤＣＨに適用する時、端末は（復号をできなかった最初のサブパケットには使用しない）Ｒ−ＡＣＫＣＨを通じてＦ−ＰＤＣＣＨＡＣＫをＯＮとして伝送することができる。したがって、スケジューラは、Ｆ−ＰＤＣＨの伝送を持続することが非効果的であるということを認識することによって資源を節約することができる。
【００８１】
このような方法をＲ−ＰＤＣＨにも適用可能である。この場合、端末は、Ｒ−ＰＤＣＨの最初のサブパケット伝送インスタンスと同時にＲ−ａｕｘＡＣＫＣＨを通じてＦ−ＰＤＣＣＨＡＣＫをＯＮとして伝送する。これにより、ＡＮはＲ−ＰＤＣＨサブパケットの受信を期待できないということを認識し、他の端末をスケジュールしたり同一端末を再スケジュールすることができる。
【００８２】
必要に応じて、ＣＲＣ及び／またはＡＴ固有のスクランブリングを用いてＡＣＫ信号を暗号化することで、ＡＣＫ信号の検出信頼性を高めることができる。ＮＡＫをＯＦＦ値に割り当てたと仮定する場合がある。しかし、ここに記述された方法は、ＮＡＫがＯＦＦを表すのではなくエネルギーを持つ信号を表す場合にも適用可能である。一例に、ＯＮを表すために＋１を、ＯＦＦを表すために−１を使用するＢＰＳＫシグナリングがある。
【００８３】
ＡＴの順方向、逆方向サービングセクターが互いに異なると、一般的にＲ−ａｕｘＡＣＫＣＨを利用することが有用である。Ｒ−ＡＣＫＣＨは普通、順方向サービングセクターのみのために使用されるので、サービングセクターのみが外−ループ電力制御を実行することとなる。
【００８４】
逆方向サービングセクターは通常、外−ループ電力制御のためにＲ−ＡＣＫＣＨを使用しないし、ＡＴから順方向チャネル品質指示子も受信しない。したがって、逆方向サービングセクターは、ＡＴに逆方向割当のためのＰＤＣＣＨ（ＳＣＣＨ）の電力を制御するのに充分な情報を持っていない。こういう場合、Ｒ−ａｕｘＡＣＫＣＨを逆方向割当ブロックのＰＤＣＣＨ（ＳＣＣＨ）ＦＥＲを制御するのに利用できる。これは、非−順方向サービングセクターに報告するために使用するＲ−ＣＱＩＣＨは相対的に速度が遅いという事実を考慮してみる時にその意味がある。一般的に、順方向サービングセクターと逆方向サービングセクターが異なると、ＡＴはＲ−ａｕｘＡＣＫＣＨを使用して逆方向サービングセクターで伝送するＳＣＣＨを制御できる。
【００８５】
様々な方式でＲ−ａｕｘＡＣＫＣＨ物理階層を設計できる。これら方式には、例えば、Ｒ−ＡＣＫＣＨ再使用、Ｒ−ＣＣＨ（他のＲＬ論理制御チャネルのためのＣＤＭＡ分割部分）の再使用、そして付加物理階層チャネル生成が含まれる。
【００８６】
Ｒ−ＣＣＨの再使用と関連して、Ｒ−ＣＣＨに対して説明したような同一の１０２４−ａｒｙシグナリングコードを使用することができる。一実施で、単一コード、例えば全部１であるウォルシュコードを（１０２４、１）のコード率に使用する。ＳＣＣＨ割当に対する応答を送る単一コードにエネルギーが適用される場合、ＯＮ−ＯＦＦキーイングを使用することができる。ＳＣＣＨ制御支援のためにＡＴ当たり最大２つのＲ−ａｕｘＡＣＫＣＨをサービングセクターが異なる場合にも（disjointed case）下記のように使用することができる。
− Ｒ−ａｕｘＡＣＫＣＨ＿０−順方向サービングセクターのために使用
− Ｒ−ａｕｘＡＣＫＣＨ＿１−異なる場合、逆方向サービングセクターのために使用
この方法で、予測の信頼性を高め、且つ、損失率を制御するために、受信器は、上記単一（１０２４、１）コードフィルターの出力と残りの１０２３コードフィルター出力とを比較できる。
【００８７】
Ｒ−ａｕｘＡＣＫＣＨタイミングと関連して、基地局受信器複雑性を減らすために、Ｒ−ａｕｘＡＣＫＣＨタイミングをあらかじめ定義したりオーバーヘッドメッセージを通じてシグナルできる。例えば、ＡＴは、ＳＣＣＨを受信した後（ＡＮがＳＣＣＨを送信した後）、最初のＲ−ＡＣＫＣＨや最後のＲ−ＡＣＫＣＨＮＡＫ（ＡＴが最大の再伝送回数を超過した場合に発生）と併行してＲ−ａｕｘＡＣＫＣＨを伝送したり、Ｎ個のサブパケットを受信したが依然として（Ｎ個のサブパケットで構成可能な）パケットを復号できないと、Ｒ−ａｕｘＡＣＫＣＨを伝送するようにする。
【００８８】
Ｒ−ａｕｘＡＣＫＣＨについてより説明すると、再伝送回数がＮを超過する時にＲ−ａｕｘＡＣＫＣＨを送信すると、Ｒ−ａｕｘＡＣＫＣＨ伝送、オーバーヘッド、逆方向リンク容量に対する影響、そしてバッテリー電力消費の最小化のような様々な利点を得ることができる。Ｎが大きくなるほど利点はより大きくなる。しかし、Ｎが大きくなるほど、ＡＴが割当を逃すことをＡＮが検出する上で時間遅延が発生する。結果的にトラフィックチャネル資源の浪費を招くことができる。
【００８９】
時間遅延を最小化し、ＳＣＣＨの消失及びスケジューラの多数ＤＣＨサブパケット浪費を招く不所望の状況を減らすために、最初のＲ−ＡＣＫＣＨと最初のサブパケットを共に受信した後にＲ−ａｕｘＡＣＫＣＨを伝送できる。
【００９０】
逆方向データ率指示子（ＲＲＩ）を具現する場合、ＲＲＩをＳＣＣＨＦＥＲ制御に暗示的なＲ−ａｕｘＡＣＫＣＨとして使用することができるので、Ｒ−ａｕｘＡＣＫＣＨの必要性に影響を及ぼすことができる。
【００９１】
さらに、ＲｂｉｔｍａｐＡＣＫＣＨは、ＡＴごとに固有に設定したり、多数のＡＴ間に共有できる。ＡＴ固有のＲｂｉｔｍａｐＡＣＫＣＨを使用すると、報告されたＣＱＩＣＨとＲ−ｂｉｔｍａｐＮＡＫを共に用いて必要なビットマップ送信電力をより正確に予測できる。Ｒ−ＣＱＩＣＨ伝送頻度が低い時（例えば、６個または８個のフレーム当たり１回やスーパーフレーム当たり１回）、Ｒ−ｓｃｃｈＡＣＫＣＨがより有用な場合がある。
【００９２】
ここに提示された様々な実施例は、ＯＯＫの他にも他の２進シグナリング方式に一般化されることができる。例えば、ＢＰＳＫシグナリング、２進直交変調などがある。
【００９３】
上記と関連していくつかの例を詳細に説明する。図４は、ＡＮがＦ−ＳＣＣＨサブパケットとＫ個のＦ−ＤＣＨサブパケットをＡＴに伝送する状況を示し、図５は、最初のサブパケットが復号されることのできない場合に、Ｒ−ｓｃｃｈＡＣＫＣＨＡＣＫを伝送する一例を示す。特に、ＡＴは最初のＦ−ＤＣＨサブパケットを受信した後にＡＮにＲ−ｓｃｃｈＡＣＫＣＨ ＡＣＫを伝送するとされている。
【００９４】
図６は、最初のＡＴサブパケットが復号されることのできない場合、Ｒ−ＡＣＫＣＨＡＣＫを伝送する一例を示す。Ｒ−ＡＣＫＣＨ ＡＣＫはＦ−ＳＣＣＨが復号されたことを表す。ＡＮは、パケット２の最初サブパケットをＡＴに伝送する。図５と類似なこの状態で、ＡＴは、パケット２の最初のサブパケットを復号できないとＡＮにＲ−ｓｃｃｈＡＣＫＣＨＡＣＫを伝送する。
【００９５】
図７は、ＡＴがＲ−ｓｃｃｈＡＣＫＣＨ ＡＣＫをＡＮに伝送するが、ＡＮはこの信号の受信に失敗する（したがって、ＮＡＫ意味する）一例を示す。ＡＮは応答としてパケット１のＦ−ＳＣＣＨ及びＦ−ＤＣＨの最初サブパケットをＡＴに再伝送する。図５と関連して説明した方法で動作をさらに実行することができる。同一ＡＴが再スケジュールされるか新しいＡＴがスケジュールされるかにかかわらずに一つのサブパケット送信インスタンスの消失を誘発することに注目しなければならない。
【００９６】
図８は、ＡＴがＲ−ｓｃｃｈＡＣＫＣＨ ＡＣＫをＡＮに伝送するがＡＮはこの信号をＲ−ｓｃｃｈＡＣＫＣＨＮＡＫとして受信する一例を示す。ＡＮは、応答としてＡＴにＦ−ＤＣＨサブパケットを持続的に伝送する。その後、ＡＮはＡＴにパケット２のＦ−ＳＣＣＨ及びＦ−ＤＣＨ最初サブパケットを伝送する。図５と関連して説明した方法で動作を実行できる。この例で、Ｒ−ｓｃｃｈＡＣＫＣＨが存在しない場合に該当する動作が行なわれる。
【００９７】
図９は、ＡＴがＦ−ＳＣＣＨの検出に失敗し、結果的にＦ−ＤＣＨの検出にも失敗する一例を示す。
【００９８】
図１０は、ＡＴがＦ−ＳＣＣＨは検出するがＦ−ＤＣＨの検出には失敗する一例を示す。この例で、最大回数のサブパケット伝送が起きた後にＦ−ＤＣＨを受信するのに失敗すると、ＡＴはＦ−ＳＣＣＨに対してはＡＣＫを、Ｆ−ＤＣＨに対してはＮＡＫを伝送する。
【００９９】
図１１は、ＡＴがＦ−ＳＣＣＨを検出し、Ｆ−ＤＣＨの復号に成功する一例を示す。この例で、ＡＴはＦ−ＤＣＨに対してはＡＣＫ（Ｒ−ＡＣＫＣＨＡＣＫ）を伝送する。これは本質的にＦ−ＳＣＣＨに対するＡＣＫを表す。
【０１００】
一つのセクターに対するｓｃｃｈＡＣＫＣＨ資源割当は、セクターと通信するＡＴに放送される。このセクターは、順方向セクター、逆方向セクター、またはアクセスプローブが伝送されるセクターを含むことができる。
【０１０１】
このセクターに対して上記特徴の活性化有無、セクター、セル、またはＡＮの上記特徴支援有無、そして受信ＳＣＣＨと送信ＳＣＣＨＡｃｋ間のタイムオフセットのうち１つあるいはそれ以上をパラメータに含むことができる。オフセットを指定する暗示的な規則があるとすれば（例えば、オフセットはＳＣＣＨと最初の順方向／逆方向サブパケット間のオフセットと同一）、この情報は省略可能である。例えば、最初サブパケットが受信された後または２番目のサブパケットが受信された後または最大（Ｍ＿ｍａｘ−１）回のサブパケット再伝送を許容するＡＲＱ動作でＭ＿ｍａｘ番目のサブパケットが受信された後に、Ｒ−ｓｃｃｈＡＣＫＣＨを送信できる。上記で指摘したように、このようなタイミング値Ｍを設定できる。
【０１０２】
さらに、各ＳＣＣＨには互いに異なるＭ値を割り当てることができる。例えば、ＳＣＣＨ＿０はＭ＝１に、ＳＣＣＨ＿１はＭ＝＿ｍａｘに割り当てることができる。前者の場合、ＳＣＣＨ＿０に割り当てられたＡＴは最初のサブパケットを受信した後に復号に失敗すると（最初サブパケット以降に何のＲ−ＡＣＫＣＨＡＣＫも伝送しない）、Ｒ−ｓｃｃｈＡＣＫＣＨＡＣＫで応答する。後者の場合、ＳＣＣＨ＿１に割り当てられたＡＴはＭ＿ｍａｘ番目のサブパケットを受信した後に復号に失敗すると（Ｍ＿ｍａｘ番目以降に何のＲ−ＡＣＫＣＨＡＣＫも伝送しない）、Ｒ−ｓｃｃｈＡＣＫＣＨＡＣＫで応答する。Ｍの値が小さいほど、順方向資源浪費が少ないが、逆方向Ｒ−ｓｃｃｈＡＣＫＣＨシグナリングオーバーヘッドが増加する。Ｍの値が大きいほど順方向資源浪費が大きくなるが、逆方向Ｒ−ｓｃｃｈＡＣＫＣＨシグナリングオーバーヘッドが減少する。
【０１０３】
一般的にｓｃｃｈＡＣＫＣＨに対する資源割当は特定ＳＣＣＨと関係がある。例えば、ｓｃｃｈＡＣＫＣＨを伝送するために未使用逆方向資源（例えば、パケットデータチャネルＦ−ＤＣＨに対する応答に使われる未使用及び／または固定的な余分のＲ−ＡＣＫＣＨ資源）を割り当てることができる。ＳＣＣＨと関連したｓｃｃｈＡＣＫＣＨに対して資源が割り当てられない状況がおきることができる。これは、ＳＣＣＨと関連したｓｃｃｈＡＣＫＣＨが活性化されないということを意味する。
【０１０４】
特定タイプのＳＣＣＨが受信されると、ｓｃｃｈＡＣＫＣＨが伝送される。例えば、このようなＳＣＣＨは、ＦＬＡＢ、ＲＦＬＡＢ、接続許諾、固定割当または非固定割当のためのＬＡＢになり得る。この情報は、どんなタイプの割当またはどんなタイプの制御メッセージに対してＡＣＫを伝送しなければならないかを表す。ｓｃｃｈＡＣＫＣＨは、地形によって活性化されることができる。例えば、ＣＱＩが所定値を超過すると、ＡＴがｓｃｃｈＡＣＫＣＨを伝送するようにＣＱＩ臨界値を定義することができる。このような特徴の利点はバッテリー電力の節約と干渉の減少にある。
【０１０５】
ｓｃｃｈＡＣＫＣＨは、割り当てられた資源の大きさによって活性化されることができる。例えば、割り当てられたノードの数が所定値を超過すると、ＡＴがｓｃｃｈＡＣＫＣＨを伝送するようにノード数臨界値を定義することができる。これは、ＡＮが大きさの大きい現在の割当を中断する前に他のＳＣＣＨが必要か決定するに当たってｓｃｃｈＡＣＫＣＨを使用するとより大きい利得が得られるためである。このような特徴は資源浪費を減らす効果を奏する。
【０１０６】
情報はＮ回反復するループで設定されることができる。Ｎは、最大ＳＣＣＨ数よりも少ないか同一であり得る。例えば、ＳＣＣＨａｃｋパラメータがＳＣＣＨ割当を指示するメッセージＡ（活性ＳＣＣＨブロック数を含む）と他のメッセージＢに設定されており、メッセージＡの周波数がメッセージＢよりも高いと、Ｎを最大許容ＳＣＣＨブロック数に設定し、ＡＴが新しく付加されたＳＣＣＨのＳＣＣＨａｃｋパラメータを決定するために保存されたメッセージＢを使用できるようにすることが有用である。Ｎを暗示的に類推できないとしたら、付加フィールドを含めてＮ値を指示できる。
【０１０７】
上記パラメータをQuichChannelInfo、ExtendedChannelInfo、SectorParameters、そしてAccessParametersのような放送メッセージを用いて伝送できる。ＳＣＣＨＡｃｋは総じて放送ＭＡＣＩＤを持つＳＣＣＨ（すなわち、放送ＳＣＣＨ）に適用されない。
【０１０８】
このような特徴をより動的に活性化／不活性化するために、ＳＣＣＨのタイプ別に余分のビットを定義することができる。このビットはＳＣＣＨ受信後にＡＣＫの必要有無を表す。ハンドオフが容易となるように、セクターに対するＳＣＣＨＡｃｋＣｈパラメータを隣セクターや近隣セクターに放送することができる。
【０１０９】
上記情報の一部は、ＡＴ別に構成属性の形態で設定できる。例えば、複合属性の属性やフィールドは、ＡＴがこのような特徴を活性化したか（例えば、SCCHAckChEnabled）を表し、他の属性やフィールドはｓｃｃｈＡＣＫＣＨを用いて応答する必要があるＳＣＣＨタイプを表すことができる。ＡＴ別地形によってｓｃｃｈＡＣＫＣＨを活性化できる。例えば、ＣＱＩが所定値を超過すると、ＡＴがｓｃｃｈＡＣＫＣＨを伝送するようにＣＱＩ臨界値を定義することができる。このような特徴の長所は、バッテリー電力を節約することにある。
【０１１０】
電力ヘッドルーム（HEADROOM）が充分でない場合あるいはバッテリー状態が低い場合、ＡＴはSCCHAckChEnabledを変更するために構成過程を始めることによって上記特徴を不活性化させることができる。
【０１１１】
安定で且つ効率的なシステム動作のために、順方向共同制御チャネル（Ｆ−ＳＣＣＨ）だけでなく、Ｆ−ＤＣＨのＦＥＲと送信電力を管理することが有用である。Ｆ−ＳＣＣＨは一般的に順方向ＬＡＢ、ＳＣＷＬＡＢ、ＭＣＷＬＡＢなどのような様々な順方向割当メッセージを伝送する。一例として、Ｆ−ＳＣＣＨに伝送されるＦＬＡＢは、スケジュールされたＡＴを識別（覚醒）し、Ｆ−ＤＣＨでのパケット受信のために使用されることができる。
【０１１２】
図１２は、ExtendedChannelInfoメッセージのようなメッセージのフィールドを表す。
【０１１３】
SCCHAckCHActivatedフィールドは、その値が１であれば、SCCHAckCHIncludedとSCCHAckCHNodeフィールドの実施有無を表す。SCCHAckCHActivatedフィールドはその値が０であれば、セクターでこの特徴を支援しないことを表す。Ｎ番目に発生した上記メッセージは、Ｎ番目ＳＣＣＨに対するSCCHAckCHが活性化されたか、SCCHAckCHの位置はどこかを表す。SCCHAckNodexは、順方向ノードツリーでノードｘに該当するＡＣＫチャネルである。最大回数（例えば、８）のマッピングが示されている。これは、一般的にＳＣＣＨ割当のためのQuickChannelInfoがExtendedChannelInfoよりも頻繁なためである。ＡＴは、Ｆ−ＳＣＣＨが復号される時にＦ−ＳＣＣＨにＳＣＣＨＡｃｋＣＨが割り当てられている場合のような状況で、そしてＦ−ＤＣＨに対するＮＡＫのためにＳＣＣＨＡｃｋを伝送できる。
【０１１４】
図１３は、本発明の一実施例によって割当応答を提供する方法を示す流れ図である。段階１００でＡＴは、順方向オーバーヘッドチャネルメッセージを受信し、該オーバーヘッドチャネルメッセージは、ＡＴが応答を送らなければならないＳＣＣＨメッセージデータブロックを指示するパラメータを含む。１０２段階で、ＳＣＣＨデータブロックで構成された順方向ＳＣＣＨ信号を受信する。
【０１１５】
１０４段階で、オーバーヘッドチャネルメッセージが提供するパラメータによってＳＣＣＨデータブロックを復号する。１０６段階で、ＳＣＣＨ信号によってＡＴのための順方向データチャネルに対する接続端末割当の変化を検出する。１０８段階で、ＡＴはデータチャネルを通じて順方向パケットを受信する。１１０段階で、逆方向割当応答が伝送される前にパケットデータの所定個数サブパケットの伝送を規定（define）するオフセットを確認する。また、１１２段階で、当該パケットデータに対する応答がない場合にのみＳＣＣＨデータブロックのうち一つの成功的な復号を表すためにオフセットによって割当応答を送信する。
【０１１６】
図１４は、本発明の他の実施例によって割当応答を提供する方法を示す流れ図である。段階１５０で、ＡＴは、順方向オーバーヘッドチャネルメッセージを受信し、該オーバーヘッドチャネルメッセージは、ＡＴが応答を送らなければならないＳＣＣＨメッセージデータブロックを指示するパラメータを含む。１５２段階で、ＳＣＣＨデータブロックで構成された順方向ＳＣＣＨ信号を受信する。１５４段階で、オーバーヘッドチャネルメッセージが提供するパラメータによってＳＣＣＨデータブロックを復号する。１５６段階で、ＳＣＣＨ信号によってＡＴのための逆方向データチャネルに対する接続端末割当の変化を検出する。１５８段階で、ＡＴは、データチャネルを通じて逆方向パケットデータを送信する。１６０段階で、割当応答が伝送される前にパケットデータの所定個数サブパケットの伝送を規定するオフセットを確認する。また、１６２段階で、当該パケットデータに対する応答がない場合にのみＳＣＣＨデータブロックのうち一つの成功的な復号を表すためにオフセットによって逆方向割当応答を送信する。
【０１１７】
本発明の実施例は、ここに記述した例を用いて実施しても良いが、動作を付加したり動作の数を減らしたりして実施しても良い。例えば、図１３に示す段階のうち１つあるいはそれ以上、例えば、段階１００、１０４、１０６及び１１０を実行しなくても良い。さらに他の例では、図１４に示す段階１５０、１５２、１５６及び１６０を実行しなくても良い。また、図示及び説明した上記動作の順序は単なる一例に過ぎず、単一動作順序に限定されることはない。
【０１１８】
図１５は、本発明の実施例によって接続端末として構成されうる移動通信装置のブロック図である。移動通信装置３００は、例えば移動電話とされており、本明細書に説明した様々な方法を実施するように構成されることができる。移動通信装置３００は、マイクロプロセッサやデジタル信号処理器のような処理部３１０、ＲＦモジュール３３５、電力管理モジュール３０５、アンテナ３４０、バッテリー３５５、ディスプレイ３１５、キーパッド３２０、選択事項として分離可能な使用者ＩＤモジュール（ＲＵＩＭ）カード３２５、フラッシュメモリー、ＲＯＭまたはＳＲＡＭのようなメモリー部３３０、スピーカー３４５及びマイク３５０を含む。
【０１１９】
使用者は、キーパッド３２０のボタンを押したりマイク３５０を通じて音声命令を下すことによって電話番号のような命令情報を入力する。処理部３１０は、命令情報を受信し、電話番号を掛ける動作のような適切な機能を行なうために当該命令情報を処理する。上記機能を行なうためにメモリー部３３０から動作データを受信することができる。また、処理部３１０は、使用者の参照及び便宜の提供のためにディスプレイ３１５に命令情報と動作情報を表示できる。
【０１２０】
処理部３１０は、通信開始、例えば音声通信データを含む無線信号の送信のためにＲＦ部３３５に命令情報を発生する。ＲＦ部３３５は、無線信号の送受信のための送信器と受信器を含む。アンテナ３４０は、無線信号の送受信を担当する。無線信号の受信時に、ＲＦモジュール３３５は受信信号をフォーワーディングしたり、処理部３１０で処理できるように受信信号を基底帯域周波数に変更する。処理された信号は、例えばスピーカー３４５を通じて聞いたり読み取ったりできる情報に変換できる。
【０１２１】
処理部３１０は、他の動作中においてもここに説明した様々な方法を実行するように構成される。移動通信装置３００は、例えば処理部３１０や他のデータまたはデジタル処理装置を単独でまたは外部支援論理装置と連係して使用することによって容易に具現されうるということは、本分野における当業者には明確な事実である。本発明を移動通信と関連づけて記述したが、移動通信が可能なＰＤＡやノートブックコンピュータのような移動機器を用いたいかなる無線通信システムにも適用可能である。また、本発明を記述する特定用語の使用によって本発明の範囲がＵＭＢのような特定無線通信システムに限定されるわけではない。本発明は、ＵＭＴＳ、ＴＤＭＡ、１ｘＥＶＤＯを含むＣＤＭＡ、ＨＳＤＰＡとＨＳＵＰＡなどを含むＷＣＤＭＡなどのように異なる無線インタフェース及び／または物理階層を利用する他の無線通信システムにも適用可能である。
【０１２２】
以上好ましい実施例は、ソフトウェア、ハードウェア、ファームウエアまたはそれらの組合せを生産するために標準プログラミング及び／またはエンジニアリング技術を使用する方法、装置または製造品目として具現されることができる。ここで使われた“製造品目”という用語は、ハードウェアロジック（例えば、集積回路チップ、ＦＰＧＡ（Field Programmable Gate Array）、ＡＳＩＣ（Application Specific IntegratedCircuit）等）またはコンピュータで読取可能な媒体（例えば、ハードディスクドライブ、フロッピー（登録商標）ディスク、テープなどのような磁気記憶媒体、ＣＤ−ＲＯＭ、光学ディスクなどのような光学記憶装置、ＥＥＰＲＯＭ、ＲＯＭ、ＰＲＯＭ、ＲＡＭ、ＤＲＡＭ、ＳＲＡＭ、ファームウエア、プログラム可能なロジックなどのような揮発性、不揮発性メモリー）で実行されることのできるコードやロジックを意味する。コンピュータで読取可能な媒体ではプロセッサがコードに接近して実行する。
【０１２３】
また、好ましい実施例が具現されうる上記コードは、伝送媒体を通じてまたはネットワークのファイルサーバーから接近可能である。そのような場合、コードが実行される上記製造品目は、網伝送路のような伝送媒体、無線伝送媒体、空間や無線波形や赤外線信号などを通じて伝播される信号で構成されることができる。もちろん、本発明の範囲を逸脱しない範囲内でこのような構成を修正でき、上記製造品目は本分野に知られた媒体を利用するいかなる情報でも構成されることができるということは、本分野における当業者には自明である。
【０１２４】
図示されたロジック実行では、特定動作が特定順序で起きるとした。他の実施では、特定ロジック動作が異なる順序で実行されたり、修正、削除されることができ、この場合にも依然として本発明の好ましい実施例を構成できる。さらに、上述したロジックに段階を追加しても依然として本発明を具現することができる。
【０１２５】
本発明は、ここに説明された一連の例示動作を用いて具現されることができるが、動作を追加したり省略したりしても良い。さらに、図示され説明された動作順序は単なる例示に過ぎず、一つの動作順序にのみ限定されるわけではない。
【０１２６】
以上の実施例と長所は単なる例示に過ぎず、本発明は限定されるものとして解釈されてはならない。本発明の思想は、他の種類の装置及び方法にも容易に適用されることができる。本発明についての説明は、理解を助けるためのもので、特許請求の範囲を限定するものではない。他の方法、修正及び変更が可能であることは当業者には自明である。
【図１】
2010507320.tif 000003
【図２】
2010507320.tif 000004
【図３】
2010507320.tif 000005
【図４】
2010507320.tif 000006
【図５】
2010507320.tif 000007
【図６】
2010507320.tif 000008
【図７】
2010507320.tif 000009
【図８】
2010507320.tif 000010
【図９】
2010507320.tif 000011
【図１０】
2010507320.tif 000012
【図１１】
2010507320.tif 000013
【図１２】
2010507320.tif 000014
【図１３】
2010507320.tif 000015
【図１４】
2010507320.tif 000016
【図１５】
2010507320.tif 000017
【国際調査報告】
2010507320.tif 000018
2010507320.tif 000019